(57)【特許請求の範囲】
【請求項１】
橋梁における下部構造に対して上部構造の変位を拘束すべく、ゴム板と鋼板を交互に積層固着すると共にその上下に厚肉の鋼板を固着して成るゴム支承部に対して橋軸直角方向左右に配置させた一対の当たり部が、前記ゴム支承部を構成する上下の厚肉の鋼板の一方に直接又は部材を介して取り付けられた鋼板に一体化されているか又は取り付けられている橋梁用ゴム支承装置において、上部構造からの橋軸直角方向の作用力に対して両方の当たり部が同時に抵抗するようにし、上下の厚肉の鋼板の他方に直接又は部材を介して取り付けられた鋼板が当たり部に当たることにより下部構造に対する上部構造の変位を拘束することを特徴とする橋梁用ゴム支承装置。
【請求項２】
橋梁における下部構造に対して上部構造の変位を拘束すべく、ゴム板と鋼板を交互に積層固着すると共にその上下に厚肉の鋼板を固着して成るゴム支承部に対して橋軸直角方向左右に配置させた一対の当たり部が、前記ゴム支承部を構成する上下の厚肉の鋼板の一方に一体化されているか又は取り付けられている橋梁用ゴム支承装置において、上部構造からの橋軸直角方向の作用力に対して両方の当たり部が同時に抵抗するようにし、上下の厚肉の鋼板の他方に直接又は部材を介して取り付けられた鋼板が当たり部に当たることにより下部構造に対する上部構造の変位を拘束することを特徴とする橋梁用ゴム支承装置。
【発明の詳細な説明】
【０００１】
【発明の属する技術分野】
この発明は、橋梁用ゴム支承装置に関するものである。
【０００２】
【従来の技術】
橋梁用ゴム支承装置では、図８に示すように、橋軸直角方向における下部構造に対する上部構造の水平移動を拘束する手段として、例えば、逆Ｔ字形状の当たり部90が用いられており、前記当たり部90は複数のゴムと鋼板を積層固着して成るゴム支承部91の橋軸直角方向左右に二つ設置されている。そして、この橋梁用ゴム支承装置では、ゴム支承部91の上側に取り付けられた剛性板92（例えば上沓）が当たり部90に当たることにより変位が拘束される。
【０００３】
ところが、図８に示した従来の装置では、地震時等における上部構造の慣性力による橋軸直角方向の力に対して剛性板92は一方の当たり部90のみの抵抗により拘束されるものであるから、各当たり部90は大きくなってしまうという問題があった。
【０００４】
なお、当たり部90が大きくなるということは、これが取り付けられている下沓93も大きくなり、さらにベースプレート94も大きくなる。これはコストアップになるだけでなくゴム支承が設置される下部構造にも影響を与える場合が出てくる。
【０００５】
【発明が解決しようとする課題】
そこで、この発明では、橋梁用ゴム支承装置において、一つの当たり部に作用する橋軸直角方向の力を低減することにより当たり部を小さくすることを課題とする。
【０００６】
【課題を解決するための手段】
（請求項１記載の発明）
この発明の橋梁用ゴム支承装置は、橋梁における下部構造に対して上部構造の変位を拘束すべく、ゴム板と鋼板を交互に積層固着すると共にその上下に厚肉の鋼板を固着して成るゴム支承部に対して橋軸直角方向左右に配置させた一対の当たり部が、前記ゴム支承部を構成する上下の厚肉の鋼板の一方に直接又は部材を介して取り付けられた鋼板に一体化されているか又は取り付けられている橋梁用ゴム支承装置において、上部構造からの橋軸直角方向の作用力に対して両方の当たり部が同時に抵抗するようにし、上下の厚肉の鋼板の他方に直接又は部材を介して取り付けられた鋼板が当たり部に当たることにより下部構造に対する上部構造の変位を拘束する。
（請求項２記載の発明）
この発明の橋梁用ゴム支承装置は、橋梁における下部構造に対して上部構造の変位を拘束すべく、ゴム板と鋼板を交互に積層固着すると共にその上下に厚肉の鋼板を固着して成るゴム支承部に対して橋軸直角方向左右に配置させた一対の当たり部が、前記ゴム支承部を構成する上下の厚肉の鋼板の一方に一体化されているか又は取り付けられている橋梁用ゴム支承装置において、上部構造からの橋軸直角方向の作用力に対して両方の当たり部が同時に抵抗するようにし、上下の厚肉の鋼板の他方に直接又は部材を介して取り付けられた鋼板が当たり部に当たることにより下部構造に対する上部構造の変位を拘束する。
【０００７】
なお、上記発明の橋梁用ゴム支承装置の機能については、以下の発明の実施の形態の欄で詳述する。
【０００８】
【発明の実施の形態】
以下、この発明の実施の形態を図面に従って説明する。
〔実施形態１〕
図１は、この実施形態の橋梁用ゴム支承装置Ａを介して下部構造Ｂ上に上部構造Ｈを設置した状態を示すものである。なお、図１中、符号Ｓで示されるものは伸縮装置である。
（この橋梁用ゴム支承装置Ａの構成について）
この橋梁用ゴム支承装置Ａは、図２や図３に示すように、ベースプレート１と、下沓２と、ゴム支承部３と、上沓４と、二つの当たり部５から構成されている。
【０００９】
ベースプレート１は、図２や図３に示すように、方形状に形成された鋼板により構成されており、アンカーボルトＣが取り付けられている。
【００１０】
下沓２は、図２や図３に示すように、ベースプレート１よりも少し小さい方形状の鋼板により構成されており、ベースプレート１上にボルト止めされている。
【００１１】
ゴム支承部３は、図２や図３に示すように、鋼板30とゴム板31とを交互に積層固着すると共にその上下部に厚肉の鋼板32, 33を固着して成るものであり、上記下沓2 にボルト止めされている。
【００１２】
上沓４は、図２や図３に示すように、鋼板により構成されており、橋軸直角方向左右に開孔40, 40を形成してある。なお、開孔40は図２に示すように、橋軸方向に長い長方形状に形成されている。
【００１３】
当たり部５は、図２や図３に示すように、鋼材で形成された縦部50と横部51とから成る逆Ｔ字状のものであり、下沓２の両サイドにボルト止めされると共に縦部50, 50の上部が上記開孔40, 40に橋軸直角方向において少しの隙間を設けて挿入されている。ここで、図３において、隙間ｇ１は隙間ｇ３と同じ寸法に、隙間ｇ２は隙間ｇ４と同じ寸法に、それぞれ設定されている。この隙間相互の関係は以下の他の実施形態の橋梁用ゴム支承装置においても同様である。
（この橋梁用ゴム支承装置Ａの機能について）
この橋梁用ゴム支承装置Ａでは、図３に示す橋軸直角方向において、隙間ｇ１は隙間ｇ３と同じ寸法に、隙間ｇ２は隙間ｇ４と同じ寸法に、それぞれ設定されているから、地震時等における上部構造Ｈの慣性力による橋軸直角方向の力に対して上沓４は両方の当たり部５の抵抗により拘束されるものとなる。したがって、一つの当たり部５に作用する橋軸直角方向の力が小さくなり、その結果当たり部５を小さくできる。
【００１４】
また、当たり部５が小さくなるということは、これが取り付けられている下沓２も小さくなり、さらにベースプレート１も小さくなる。これはコストダウンになるだけでなくゴム支承が設置される下部構造の平面視の大きさも最小限に抑えることができる。
〔他の実施形態〕
上記実施形態１の橋梁用ゴム支承装置Ａは、以下の▲１▼〜▲９▼のように変更することができる。
▲１▼．上沓４において貫通する開孔40を、図４や図５に示すように、上沓４において凹む凹み部41とすることができる。なお、凹み部41の底面と当たり部５の上端面とは、図５に示すように少し隙間を設けてある。
▲２▼．上沓４において貫通する開孔40を、図６に示すように、上沓４における両サイドの張出部4a, 4aに形成した溝42, 42とすることができる。
▲３▼．上沓４において貫通する開孔40を、図７に示すように、上沓４の両サイドに角材4b, 4bをそれぞれボルト4c, 4cで止着して形成された空間ｈ，ｈとすることができる。
▲４▼．上記した全ての実施形態において、開孔等（開孔40, 凹み部41、溝42又は空間ｈに相当するもの）を、上沓４の上に取り付けられた鋼板（ソールプレート）に形成し、当たり部５の縦部50を前記開孔等に挿入する構成としてもよい。
▲５▼．ベースプレート１に当たり部５を一体化させるか又は取り付け、他方、上沓４又は上記ソールプレートに開孔等（開孔40, 凹み部41、溝42又は空間ｈに相当するもの）を形成し、前記当たり部５の縦部50を前記開孔等に挿入する構成としてもよい。
▲６▼．ソールプレート又は上沓４に当たり部５を一体化させるか又は取り付け、他方、下沓２又はベースプレート１に開孔等（開孔40, 凹み部41、溝42又は空間ｈに相当するもの）を形成し、前記当たり部５の縦部50を前記開孔等に挿入する構成としてもよい。
▲７▼．ゴム支承部３を構成する最上位の鋼板に、当たり部５を一体化させるか又は取り付け、他方、下沓２又はベースプレート１に開孔等（開孔40, 凹み部41、溝42又は空間ｈに相当するもの）を形成し、前記当たり部５の縦部50を前記開孔等に挿入する構成としてもよい。
▲８▼．ゴム支承部３を構成する最下位の鋼板に、当たり部５を一体化させるか又は取り付け、他方、上沓４又は上記ソールプレートに開孔等（開孔40, 凹み部41、溝42又は空間ｈに相当するもの）を形成し、前記当たり部５の縦部50を前記開孔等に挿入する構成としてもよい。
▲９▼．なお、上記した全ての実施形態において、上沓４とソールプレートとの間、又は下沓２とベースプレート１との間に、それぞれ鋼板等の他の部材を介在させる構成としてもよい。
【００１５】
【発明の効果】
この発明は上記構成を有するものであるから次の効果を有する。
【００１６】
上記発明の実施の形態の欄の記載内容から、橋梁用ゴム支承装置において、一つの当たり部に作用する橋軸直角方向の力を低減でき、これにより当たり部を小さくできた。
【図面の簡単な説明】
【図１】この発明の実施形態の橋梁用ゴム支承装置を介して下部構造上に上部構造を設置した状態を示す正面図。
【図２】この発明の実施形態１の橋梁用ゴム支承装置の斜視図。
【図３】前記実施形態１の橋梁用ゴム支承装置の断面図。
【図４】この発明の実施形態２の橋梁用ゴム支承装置の斜視図。
【図５】前記実施形態２の橋梁用ゴム支承装置の断面図。
【図６】この発明の実施形態３の橋梁用ゴム支承装置の斜視図。
【図７】この発明の実施形態４の橋梁用ゴム支承装置の斜視図。
【図８】先行技術の橋梁用ゴム支承装置の斜視図。
【符号の説明】
Ａ      橋梁用ゴム支承装置
１      ベースプレート
２      下沓
３      ゴム支承部
４      上沓
５      当たり部
40      開孔
41      凹み部
42      溝
50      縦部
51      横部
【図１】
0003785593.tif 000002
【図２】
0003785593.tif 000003
【図３】
0003785593.tif 000004
【図４】
0003785593.tif 000005
【図５】
0003785593.tif 000006
【図６】
0003785593.tif 000007
【図７】
0003785593.tif 000008
【図８】
0003785593.tif 000009